(57)【要約】【課題】  放送番組に適した設定状態で当該放送番組を再生可能な放送番組再生装置等を提供する。【解決手段】  放送番組受信装置は、放送波によって提供される放送番組の情報である放送番組情報とともに、当該放送番組の属性を示す属性情報を少なくとも有する番組付帯情報を受信する放送受信部２と、受信された番組付帯情報から属性情報を抽出する情報抽出部４と、放送番組情報をスピーカＳ、及びサブウーファーＳＷＳに出力する際の信号処理に用いるパラメータを設定するための設定情報が予め複数記憶される記憶部６と、抽出された属性情報に基づいて設定情報の中から最適な設定情報を取得するパラメータ設定部７と、当該取得された設定情報に基づいて前記受信された放送番組情報を信号処理する音声処理部５と、信号処理された放送番組情報を出力するスピーカＳ、及びサブウーファーＳＷＳと、を具備する構成を有している。【選択図】  図１
2008042221.tif 000002
【特許請求の範囲】
【請求項１】
放送波によって提供される放送番組の情報である放送番組情報とともに、当該放送番組の属性を示す属性情報を少なくとも有する番組付帯情報を受信する受信手段と、
受信された前記番組付帯情報から前記属性情報を抽出する抽出手段と、
前記放送番組情報を出力手段に出力する際の信号処理に用いるパラメータを設定するための設定情報が予め複数記憶される記憶手段と、
抽出された前記属性情報に基づいて前記設定情報の中から最適な設定情報を取得する設定情報取得手段と、
取得された当該設定情報に基づいて前記受信された放送番組情報を信号処理する信号処理手段と、
信号処理された前記放送番組情報を出力する出力手段と、
を具備することを特徴とする放送番組受信装置。
【請求項２】
前記記憶手段には、音声または映像のいずれか一方の情報を信号処理する際の信号処理に用いるパラメータを設定するための設定情報が予め複数記憶されることを特徴とする請求項１に記載の放送番組受信装置。
【請求項３】
前記抽出手段は、
前記属性情報に基づいて、前記記憶手段を検索し、所定の条件に該当する設定情報を抽出することを特徴とする請求項１、又は２に記載の放送番組受信装置。
【請求項４】
前記抽出手段によって複数の設定情報が抽出される場合に、
当該抽出された設定情報をユーザに提示する提示手段と、
前記複数の設定情報の中から一の設定情報を選択するための選択手段と、を更に具備し、
前記信号処理手段は、
前記放送番組情報に前記ユーザによって選択された一の設定情報に基づいて受信された前記放送番組情報を信号処理することを特徴とする請求項３に記載の放送番組受信装置。
【請求項５】
前記ユーザによって選択された一の設定情報を前記番組付帯情報によって示される属性情報とともに前記記憶手段に登録するための登録手段を更に具備し、
前記設定情報取得手段は、
前記抽出手段によって抽出される属性情報が前記登録手段により登録された番組付帯情報によって示される属性情報と同一である場合には、
登録された当該設定情報を取得することを特徴とする請求項４に記載の放送番組受信装置。
【請求項６】
前記属性情報が前記放送番組の進行状況に伴って変化する場合に、
前記抽出手段は、
放送番組の進行状況に伴って変化する各属性情報を抽出するとともに、
前記設定情報取得手段は、
前記放送番組の進行状況に伴って変化する各属性情報に基づいて前記設定情報の中から最適な設定情報を取得し、
前記信号処理手段は、
取得された当該設定情報に基づいて前記受信された放送番組情報を信号処理することを特徴とする請求項１又は２に記載の放送番組受信装置。
【請求項７】
放送波によって提供される放送番組の情報である放送番組情報とともに受信された当該放送番組の属性を示す属性情報を少なくとも有する番組付帯情報から前記属性情報を抽出する抽出手段と、
前記放送番組情報を出力手段に出力する際の信号処理に用いるパラメータを設定するための設定情報が予め複数記憶される記憶手段と、
抽出された前記属性情報に基づいて前記設定情報の中から最適な設定情報を取得する設定情報取得手段と、
取得された当該設定情報に基づいて前記受信された放送番組情報を信号処理する信号処理手段と、
前記信号処理された放送番組情報を出力手段に出力させる出力制御手段と、
を具備することを特徴とする放送番組受信用信号処理装置。
【請求項８】
放送波によって提供される放送番組の情報である放送番組情報とともに、当該放送番組の属性を示す属性情報を少なくとも有する番組付帯情報を受信する受信工程と、
受信された前記番組付帯情報から前記属性情報を抽出する抽出工程と、
抽出された前記属性情報に基づいて前記放送番組情報を出力手段に出力する際の信号処理に用いるパラメータを設定するための複数の設定情報の中から最適な設定情報を取得する設定情報取得工程と、
取得された当該設定情報に基づいて受信された前記放送番組情報を信号処理する信号処理工程と、
信号処理された前記放送番組情報を出力する出力工程と、
を具備することを特徴とする放送番組受信用信号処理方法。
【請求項９】
コンピュータによって放送波によって提供される放送番組情報を信号処理させる放送番組受信用信号処理プログラムであって、
前記コンピュータを、
放送波によって提供される放送番組の情報である放送番組情報とともに受信された当該放送番組の属性を示す属性情報を少なくとも有する番組付帯情報から前記属性情報を抽出する抽出手段、
前記抽出された属性情報に基づいて前記放送番組情報を出力手段に出力する際の信号処理に用いるパラメータを設定するための設定情報が予め複数記憶される記憶手段から最適な設定情報を取得する設定情報取得手段、
当該取得された設定情報に基づいて前記受信された放送番組情報を信号処理する信号処理手段、及び、
前記信号処理された放送番組情報を出力手段から出力させる出力制御手段、
として機能させることを特徴とする放送番組受信用信号処理プログラム。
【発明の詳細な説明】
【技術分野】
【０００１】
本発明は、番組付帯情報の属性に合わせて映像、音声の制御が可能な放送番組受信用信号処理システム等の技術分野に属する。
【背景技術】
【０００２】
従来からテレビ等の放送媒体を介して提供される各種のコンテンツデータを再生すべく、再生機能を有するレコーダー、テレビ受像器やＡＶ（Audio Visual）アンプ等のコンテンツデータ再生装置が各種提供されるに至っている。この種のコンテンツデータ再生装置は、映画や音楽、スポーツなどジャンルを有する放送番組の音声に周波数特性の調整や遅延時間の付加などの信号処理を行う機能が設けられている。ユーザは、この機能を利用して自己の所望する音場でコンテンツデータを再生することが可能となっている。
【０００３】
一方、近年の放送番組情報を受信するＴＶチューナ等の放送受信装置では、ＥＰＧ（Electronic Program Guide）に関するデータやメタデータ等の番組付帯情報を取得できるようになっており、当該番組付帯情報により放送番組のタイトル・ジャンル・出演者などの情報を知ることも可能となっている。
【発明の開示】
【発明が解決しようとする課題】
【０００４】
しかしながら、従来のコンテンツデータ再生装置では、ユーザが放送番組の種別に応じて当該放送番組に対して音場を設定するようになっているが音場を設定するためには、周波数特性の調整、遅延時間の付加など様々なパラメータを設定する必要があり、この設定には、専門的な知識が必要であるとともに、設定するパラメータの数が多く、容易に行うことができない。
【０００５】
そこで、本発明は、上記の問題点に鑑みて為されたもので、その課題の一例としては、容易に放送番組に適した設定状態で当該放送番組を再生可能な放送番組受信用信号処理システムを提供することにある。
【課題を解決するための手段】
【０００６】
上記の課題を解決するために、請求項１に記載の放送番組受信装置は、放送波によって提供される放送番組の情報である放送番組情報とともに、当該放送番組の属性を示す属性情報を少なくとも有する番組付帯情報を受信する受信手段と、受信された前記番組付帯情報から前記属性情報を抽出する抽出手段と、前記放送番組情報を出力手段に出力する際の信号処理に用いるパラメータを設定するための設定情報が予め複数記憶される記憶手段と、抽出された前記属性情報に基づいて前記設定情報の中から最適な設定情報を取得する設定情報取得手段と、取得された当該設定情報に基づいて前記受信された放送番組情報を信号処理する信号処理手段と、信号処理された前記放送番組情報を出力する出力手段と、を具備する構成を有している。
【０００７】
また、請求項７に記載の放送番組受信用信号処理装置は、放送波によって提供される放送番組の情報である放送番組情報とともに受信された当該放送番組の属性を示す属性情報を少なくとも有する番組付帯情報から前記属性情報を抽出する抽出手段と、前記放送番組情報を出力手段に出力する際の信号処理に用いるパラメータを設定するための設定情報が予め複数記憶される記憶手段と、抽出された前記属性情報に基づいて前記設定情報の中から最適な設定情報を取得する設定情報取得手段と、取得された当該設定情報に基づいて前記受信された放送番組情報を信号処理する信号処理手段と、前記信号処理された放送番組情報を出力手段に出力させる出力制御手段と、を具備する構成を有している。
【０００８】
また、請求項８に記載の放送番組受信用信号処理方法は、放送波によって提供される放送番組の情報である放送番組情報とともに、当該放送番組の属性を示す属性情報を少なくとも有する番組付帯情報を受信する受信工程と、受信された前記番組付帯情報から前記属性情報を抽出する抽出工程と、抽出された前記属性情報に基づいて前記放送番組情報を出力手段に出力する際の信号処理に用いるパラメータを設定するための複数の設定情報の中から最適な設定情報を取得する設定情報取得工程と、取得された当該設定情報に基づいて前記受信された放送番組情報を信号処理する信号処理工程と、信号処理された前記放送番組情報を出力する出力工程と、を具備する構成を有している。
【０００９】
また、請求項９に記載の放送番組受信用信号処理プログラムは、コンピュータによって放送波によって提供される放送番組情報を信号処理させる放送番組受信用信号処理プログラムであって、前記コンピュータを、放送波によって提供される放送番組の情報である放送番組情報とともに受信された当該放送番組の属性を示す属性情報を少なくとも有する番組付帯情報から前記属性情報を抽出する抽出手段、前記抽出された属性情報に基づいて前記放送番組情報を出力手段に出力する際の信号処理に用いるパラメータを設定するための設定情報が予め複数記憶される記憶手段から最適な設定情報を取得する設定情報取得手段、当該取得された設定情報に基づいて前記受信された放送番組情報を信号処理する信号処理手段、及び、前記信号処理された放送番組情報を出力手段から出力させる出力制御手段、として機能させる構成を有している。
【発明を実施するための最良の形態】
【００１０】
以下、本願の実施の形態について、本願の放送番組受信用信号処理システムを放送番組再生装置として図面を参照しながら説明する。
【００１１】
なお、同図においては、放送番組再生装置を、テレビチューナを備えたＡＶアンプとした場合の構成例を示している。但し、ＡＶアンプは、あくまでも、本願の一例にすぎず、例えば、メディア再生装置ＭＰやテレビチューナＴＴといった外部機器と放送番組再生装置を別体に構成することも可能である。
【００１２】
また、以下の説明において、メタデータとは、例えば、テレビチューナにより受信される放送番組情報と一緒に受信される放送番組の属性を示す属性情報を少なくとも有する番組付帯情報であり、例えば、音楽、スポーツ、ニュース等の放送番組のジャンルや放送番組の進行情報等の属性情報、放送番組が放送されるチャンネル情報、放送の開始時刻や終了時刻情報、および、放送番組の総時間情報である。
【００１３】
まず、図１及び図２を用いて放送番組再生装置の全体構成および概要動作について説明する。図１は本願に係る放送番組再生装置の概要構成を示すブロック図であり、図２は本実施形態の記憶部に記憶される参照テーブルの一例を示す。
【００１４】
本実施形態の放送番組再生装置Ａは、図１に示すように、アンテナＡＴを介して各放送局Ｈから送信される放送波によって提供される放送番組情報とメタデータとを受信する放送受信部２と、放送番組情報から音声信号の情報（以下、「音声情報」と称する。）を取得する音声情報取得部３と、メタデータに含まれる放送番組の属性を示す属性情報を抽出するための情報抽出部４と、音声情報を信号処理する音声処理部５と、音声処理部５において音声情報の信号処理を行う際の再生特性を設定するための各種のパラメータがグループ毎に属性情報に対応づけられ参照テーブルデータとして記憶される記憶部６と、抽出された属性情報に基づいてグループ毎の各種のパラメータ（以下、グループ毎の各種のパラメータ群を設定情報という。）を記憶部６から取得し、音声処理部５に設定するパラメータ設定部７と、当該信号処理された音声情報を増幅するアンプ部８と、ユーザからの指示を受け付ける操作部１０と、リモコンからの赤外線を受光しリモコン信号を受信するリモコン受光部１２と、音声情報の信号処理を行う際の一の設定情報であるパラメータ群をソースとして表示する表示部１４と、各部を制御するとともに、音声処理に関する再生制御を行うシステム制御部１８と、を有している。そして、各部は、バス２０により互いに接続されており、特に以下に記載した場合の他は、各情報、音声情報、またはメタデータは、バス２０を介して各部に入出力されるようになっている。
【００１５】
なお、例えば、本実施形態の放送受信部２は、本発明の受信手段を構成するとともに、情報抽出部４は、本発明の抽出手段を構成し、記憶部６は、本発明の記憶手段を構成する。また、例えば、本実施形態のパラメータ設定部７は、本発明の設定情報取得手段を構成するとともに、音声処理部５は、本発明の信号処理手段を構成し、表示部１４は、本発明の提示手段を構成する。さらに、例えば、本実施形態の操作部１０は、本発明の選択手段を構成するとともに、スピーカＳ、及びサブウーファーＳＷＳは、本発明の出力手段を構成し、アンプ部８は、出力制御手段を構成する。そして、本実施形態のシステム制御部１８は、本発明の登録手段および出力制御手段を構成する。
【００１６】
放送受信部２は、アンテナＡＴを介して各放送局から送信された放送波、例えば、ＶＨＦ（Very High Frequency）放送またはＢＳ（Broadcasting Satellite）デジタル放送などのＲＦ信号を受信するようになっており、ユーザの選択した受信帯域に同調して受信された信号波をＩＦ（中間周波数）信号に変換するようになっている。そして、この放送受信部２は、変換されたＩＦ信号をＴＶ用の映像データおよび音声データを放送番組情報として復調するとともに、当該放送番組情報を図示しない映像処理部、音声情報取得部３に出力するようになっている。
【００１７】
また、放送受信部２は、システム制御部１８の制御に基づいて受信された放送波からメタデータを抽出するようになっており、当該抽出されたメタデータを情報抽出部４に出力するようになっている。
【００１８】
音声情報取得部３には、放送受信部２により出力された放送番組情報が入力されるようになっており、この音声情報取得部３は、入力された放送番組情報から音声情報を抽出し、当該抽出された音声情報を音声処理部５に出力するようになっている。
【００１９】
情報抽出部４には、バス２０を介して、メタデータが入力されるようになっており、この情報抽出部４は、入力されたメタデータから、例えば、音楽、スポーツ、ニュース等の放送番組のジャンルを示す属性情報を抽出し、当該抽出された属性情報をパラメータ設定部７に出力するようになっている。
【００２０】
なお、本実施形態の情報抽出部４は、属性情報が放送番組の進行状況に伴って変化する場合に、当該変化する毎に変化された属性情報を随時抽出するようになっている。
【００２１】
音声処理部５は、例えば、ＤＳＰ（Digital Signal Processor）を有し、システム制御部１８の制御の下、音声情報取得部３から出力された音声情報に対して所定の信号処理を行い、信号処理された音声情報をアンプ部８に出力するようになっている。
【００２２】
具体的には、入力された音声情報は、５．１チャンネルから構成されるサラウンドシステムの音声情報として構成されており、音声処理部５は、入力された音声情報に基づいて、チャンネル毎の音声情報を生成し、各スピーカＳ、及びサブウーファーＳＷＳに対応するチャンネル毎に、パラメータ設定部７によって設定されたパラメータの設定情報に基づいて、生成された各音声情報を信号処理するようになっている。その際、音声処理部５は、音声情報を各スピーカＳに対応するチャンネル毎に、各スピーカＳ、及びサブウーファーＳＷＳに対応する音声情報の音圧レベルの調整、周波数特性の調整、および、遅延時間の付加などの各種の再生特性を調整するようになっている。
【００２３】
なお、パラメータとは、音声処理部５において、信号処理を行う際に必要となる各種の係数、すなわち、周波数特性を調整するためのフィルタ係数、遅延時間の付加を行うための遅延時間係数を決定するためのパラメータを示し、音声処理部５は、パラメータ設定部７において設定された各種のパラメータにより設定された各係数に基づいて入力された音声情報に対して信号処理を行うようになっている。
【００２４】
記憶部６には、メタデータの属性とパラメータの設定情報の関係を示す参照テーブルデータが予め記憶される。この記憶部６は、例えば、パラメータ設定部７により音声情報を信号処理するためのパラメータの設定情報を取得する際に、参照テーブルデータに基づいて該当する一の設定情報をパラメータ設定部７に出力するようになっている。
【００２５】
たとえば、記憶部６には、図２に示すように、野球、サッカー、フットボール等のスポーツ情報と、映画等の映画情報と、ニュース、朗読、解説などの社会情報と、邦楽、洋楽等の音楽情報（図示なし）の属性情報の種別毎に設定情報が記録されており、具体的には、属性情報の種類ごとに、記憶部６の記憶場所を示すＤＢ番号３１と、放送番組の属性を示す属性情報３２と、音声情報を信号処理するためのパラメータの設定情報３３と、デフォルトを示すデフォルト情報３４と、の項目を有する参照テーブルデータ３０が記憶されている。
【００２６】
このパラメータの設定情報３３には、当該属性情報の種類に応じて、周波数特性を調整するためのパラメータ、遅延時間を付加するためのパラメータなどの信号処理を行うために必要となる各種のパラメータを有し、スポーツ情報であれば、スタジアム１、スタジアム２、スタジアム３などのソースに区分けされ、ソース毎に各種のパラメータを有している。また、デフォルト情報は、初期設定情報またはユーザにより選択された設定情報を示す情報であり、本実施形態では、属性情報の種別毎に、すなわち、ＤＢ番号ごとに一のソースがデフォルトとして設定される。
【００２７】
なお、このデフォルトとは、後述するように、音声処理部５のパラメータを設定する際に、抽出された属性情報に基づいて、操作部１０の設定操作を行わずに、読み出される設定情報を規定するためのものであり、後述するように、一度ユーザによって一の設定情報がデフォルトとして設定されると、その属性情報に基づいてパラメータを設定する際に、当該デフォルトの設定情報がまず読み出されるようになっている。また、図２は、放送番組の属性情報の種別が野球である場合は、スタジアム１がデフォルトとして設定されていることを示す。
【００２８】
パラメータ設定部７は、入力された放送番組の属性を示す属性情報に基づいて、音声情報を信号処理するためのパラメータの設定情報を取得し（以下、「パラメータ設定処理」と称する。）、当該取得されたパラメータの設定情報を音声処理部５に設定するようになっている。
【００２９】
なお、本実施形態のパラメータ設定部７の構成およびその動作の詳細については、後述する。
【００３０】
アンプ部８は、音声処理部５から出力されるチャンネル毎の音声情報をアナログ信号である音声信号に変換し、当該変換された音声信号を増幅して各スピーカＳ、及びサブウーファーＳＷＳに出力するようになっている。このアンプ部８は、出力可能なスピーカＳ、及びサブウーファーＳＷＳの数に応じた数の低周波数増幅器及び出力端子を有しており、音声処理部から入力された各スピーカＳ、及びサブウーファーＳＷＳに対応する音声情報を出力端子に接続された各スピーカＳ、及びサブウーファーＳＷＳに出力するようになっている。
【００３１】
なお、各スピーカＳは、例えば、５．１ｃｈサラウンドシステムを構築するための、センタスピーカＣＳと、フロントレフトスピーカＦＬＳと、フロントライトスピーカＦＲＳと、サラウンドレフトスピーカＳＬＳと、サラウンドライトスピーカＳＲＳと、を備えている。
【００３２】
操作部１０は、ユーザが一の設定情報、すなわち、一のパラメータ群のグループを示すソースを選択するための操作キーが設けられており、ユーザよって当該操作キーにより複数のソースのうちユーザが好みのソースに切り替える際に用いられるようになっている。そして、操作部１０は、当該操作キーにより選択されるソースに対応した制御信号をバス２０を介してシステム制御部１８へと出力するようになっている。
【００３３】
なお、操作部１０の各種キーは、ロータリーキー等のようなダイヤル式のキーや押しボタン式のキーである。ダイヤル式のキーは、ユーザがかかるキーを回すことによって、所定の順序に設定されているソースが順次切替、設定可能となっている。また、押しボタン式のキーは、ユーザがかかるキーを押す度に、所定の順序に設定されているソースが順次切替、設定可能となっている。また、選択されるソースが順次切替、選択される様子は、後述する表示部１４に表示されるようになっている。
【００３４】
なお、ソースとは、例えば、音声処理部５によって音声情報を信号処理するための各種のパラメータ群により示される設定情報の名称であり、例えば、コンサートホール、ライブハウス等のユーザが感覚的に理解することが可能な名称によって定義されている。
【００３５】
リモコン受光部１２は、図示せぬリモコン装置から赤外線によって送信された制御信号を受信すると共に、当該受信した制御信号をバス２０を介してシステム制御部１８へと出力する。
【００３６】
表示部１４は、例えば、液晶表示素子またはＥＬ（Electric luminescence）素子によって構成され、当該表示部１４には、システム制御部１８の制御にしたがって、ユーザによって設定されたソースの表示を行うようになっている。
【００３７】
システム制御部１８は、例えば、ＲＯＭ（Read Only Memory）、ＲＡＭ（Random Access Memory）、ＣＰＵ（Central Processing Unit）を有し、ＲＯＭ内に記録されている制御プログラムを実行することにより放送番組再生装置Ａの各部を制御する。
【００３８】
システム制御部１８は、ユーザが所望する放送番組を提供する際に、放送受信部２を制御して当該放送番組情報の受信制御を行うようになっており、受信された放送番組情報をユーザに提供する際に当該放送番組情報の属性情報を抽出させるとともに、パラメータ設定部７により当該放送番組の属性情報に基づいて記憶部６から一の設定情報を取得させ、当該取得させた設定情報に基づいて音声処理部５にパラメータを設定させる処理（以下、パラメータ設定処理という。）を実行させる。そして、システム制御部１８は、放送番組情報から取得された音声情報を音声処理部５への出力制御を行うようになっている。
【００３９】
なお、音声処理部５は、音声情報が入力されると、チャンネル毎に、当該設定されたパラメータによって各種の信号処理を行うようになっており、当該信号処理されたチャンネル毎の音声情報は、アンプ部８を介して各スピーカＳ、及びサブウーファーＳＷＳから出力されるようになっている。
【００４０】
また、システム制御部１８は、一の設定情報に基づいて音声処理部５のパラメータの設定を実行した際に、記憶部６に記憶されている当該パラメータの設定に用いられた設定情報を、当該設定情報を取得するときに用いた属性情報における標準状態（デフォルトともいう。）に設定するようになっている。
【００４１】
次に、本実施形態のパラメータ設定部の構成および当該パラメータ設定部により実行されるパラメータ設定処理について説明する。
【００４２】
本実施形態では、パラメータ設定部７は、（１）放送番組の属性情報に基づいて、デフォルトに設定されている、音声情報を信号処理するための各種パラメータの一の設定情報を最適な設定情報として記憶部６から取得するパラメータ設定処理、および、（２）放送番組の属性情報に基づいて、記憶部６から当該属性情報に対応付けられているすべての設定情報を抽出するとともに、ユーザによって選択された一の設定情報を音声処理部５によって設定させるパラメータ設定処理を実行するようになっている。
【００４３】
また、パラメータ設定部７は、情報抽出部４によって最初に抽出される放送番組の属性情報に基づいて記憶部６に記憶されるパラメータの設定情報の中から一の設定情報を取得する処理と、情報抽出部４によって抽出される放送番組の進行状況によって変化する当該放送番組の属性情報に基づいて記憶部６に記憶されるパラメータの設定情報の中から最適なパラメータの設定情報を取得する処理を行うようになっている。そして、この場合には、パラメータ設定部７は、抽出された属性情報に基づいてデフォルトとして設定されている当該属性情報の設定情報を記憶部６から読み出して音声処理部５に設定するようになっている。
【００４４】
なお、本実施形態では、最初に抽出された属性情報に基づいて、設定情報を読み出して音声処理部５にパラメータを設定するか、もしくは、順次読み出された属性情報に基づいて、設定情報を読み出して音声処理部５にパラメータを設定するかは、ユーザによって操作部１０を介して予め設定されるようになっており、この設定に基づいてシステム制御部１８は、各制御を行うようになっている。
【００４５】
（２）の場合は、パラメータ設定部７は、システム制御部１８の制御の下、情報抽出部４により抽出される放送番組の属性情報に基づいて記憶部６から当該属性情報に対応付けられたすべての設定情報を取得するとともに、当該抽出した複数のパラメータの設定情報を表示部１４を介してユーザに提示するようになっており、ユーザによって当該提示された複数の設定情報の中から一の設定情報が選択された場合に、当該選択された一の設定情報を音声処理部５によって設定するようになっている。
【００４６】
このとき、システム制御部１８は、当該設定情報を表示部１４に表示させるようになっており、ユーザによって操作される操作部１０からの指示信号が入力されると、パラメータ設定部７は、ユーザによって選択された設定情報に規定されているパラメータを、音声処理部５に設定するようになっている。
【００４７】
なお、本実施形態では、パラメータ設定部７は、（１）デフォルト情報に基づくパラメータの設定処理と、（２）ユーザ選択によるパラメータの設定処理とを連動した一のパラメータの設定処理として実行するようになっている。
【００４８】
次に、図３を用いて本実施形態におけるパラメータ設定処理の動作について説明する。なお、図３は、本実施形態におけるパラメータ設定処理の動作を示すフローチャートである。また、本動作では、図２の参照テーブルデータが予め記憶部６に記憶されているものとして説明する。
【００４９】
まず、ユーザによって操作部１０を介して所定の放送波を受信するように指示が入力されると、システム制御部１８は、放送受信部２を制御し、ユーザの選択した受信帯域に同調して放送局Ｈから発信されている放送波を受信させ、受信された放送波を放送番組情報として情報抽出部４および音声処理部５に出力させる（ステップＳ１０１）。
【００５０】
一方、システム制御部１８は、放送受信部２を制御し、当該放送受信部２に当該受信している放送番組情報のメタデータを放送波から抽出させ、情報抽出部４に出力させる（ステップＳ１０２）。
【００５１】
次いで、システム制御部１８は、情報抽出部４にメタデータに含まれる、例えば、野球を示す放送番組の属性情報を抽出させる（ステップＳ１０３）。
【００５２】
次いで、システム制御部１８は、パラメータ設定部７に放送番組の属性を示す属性情報が記憶部６に記憶される参照テーブルデータのＤＢ番号１に含まれているか否かを判断させ（ステップＳ１０４）、当該属性情報がＤＢ番号１に含まれている場合には、ステップＳ１０５の処理に移行し、当該属性情報がＤＢ番号１に含まれていない場合には、ステップＳ１０９の処理に移行する。
【００５３】
当該属性情報がＤＢ番号１に含まれている場合には、システム制御部１８は、パラメータ設定部７に記憶部６に記憶されている参照テーブルデータを参照して、ＤＢ番号１の設定情報をユーザの選択肢として設定し、当該設定情報に対応するソース（スタジアム１〜３）を、表示部１４に表示させる（ステップＳ１０５）。
【００５４】
次いで、システム制御部１８は、パラメータ設定部７に所定の時間内に当該ソースのいずれか一つがユーザにより選択されたか否かを判断させ（ステップＳ１０６）、ユーザによってソースが選択された場合には、システム制御部１８は、ステップＳ１０７の処理に移行し、所定時間経ってもユーザによってソースが選択されない場合には、ステップＳ１２２の処理に移行する。
【００５５】
このとき、当該所定時間内にユーザによってソースが選択された場合は、システム制御部１８は、ユーザによって選択された設定情報、すなわち、ソースをデフォルトに切り替える（ステップＳ１０７）。
【００５６】
そして、システム制御部１８は、パラメータ設定部７にユーザによって選択された設定情報を取得させるとともに、当該取得させた設定情報に基づいて音声処理部５における音声情報を信号処理するための各種のパラメータを設定させ、（ステップＳ１２２）、処理を終了する。
【００５７】
一方、所定時間経ってもユーザによってソースが選択されない場合には、システム制御部１８は、パラメータ設定部７にＤＢ番号１のデフォルトに設定されている設定（スタジアム１）が音声処理部５によって音声情報を信号処理するためのパラメータの設定情報として設定され（ステップＳ１２２）、処理を終了する。
【００５８】
次いで、ステップＳ１０４の処理において、当該属性情報がＤＢ番号１に含まれていない場合には、システム制御部１８は、パラメータ設定部７に放送番組の属性を示す属性情報が記憶部６に記憶される参照テーブルデータのＤＢ番号２に含まれているか否かを判断させ（ステップＳ１０９）、当該属性情報がＤＢ番号２に含まれている場合には、ステップＳ１１０の処理に移行し、当該属性情報がＤＢ番号２に含まれていない場合には、ステップＳ１１４の処理に移行する。
【００５９】
当該属性情報がＤＢ番号２に含まれている場合には、システム制御部１８は、パラメータ設定部７に記憶部６に記憶されている参照テーブルデータを参照して、ＤＢ番号２の設定情報をユーザ選択肢として設定し、当該設定情報に対応するソース（シネマ１〜３）を、表示部１４に表示させる（ステップＳ１１０）。
【００６０】
次いで、システム制御部１８は、パラメータ設定部７に所定の時間内に当該ソースのいずれか一つがユーザにより選択されたか否かを判断させ（ステップＳ１１１）、ユーザによってソースが選択された場合には、システム制御部１８は、ステップＳ１１２の処理に移行し、所定時間経ってもユーザによってソースが選択されない場合には、ステップＳ１２２の処理に移行する。
【００６１】
このとき、当該所定時間内にユーザによってソースが選択された場合は、システム制御部１８は、ユーザによって選択された設定情報、すなわち、ソースをデフォルトに切り替える（ステップＳ１１２）。
【００６２】
そして、システム制御部１８は、パラメータ設定部７にユーザによって選択された設定情報を取得させるとともに、当該取得させた設定情報に基づいて音声処理部５における音声情報を信号処理するための各種のパラメータを設定させ、（ステップＳ１２２）、処理を終了する。
【００６３】
一方、所定時間経ってもユーザによってソースが選択されない場合には、システム制御部１８は、パラメータ設定部７にＤＢ番号２のデフォルトに設定されている設定（シネマ１）が音声処理部５によって音声情報を信号処理するためのパラメータの設定情報として設定され（ステップＳ１２２）、処理を終了する。
【００６４】
次いで、ステップＳ１０９の処理において、当該属性情報がＤＢ番号２に含まれていない場合には、システム制御部１８は、パラメータ設定部７に放送番組の属性を示す属性情報が記憶部６に記憶されている参照テーブルデータのＤＢ番号３に含まれているか否かを判断させ（ステップＳ１１４）、当該属性情報がＤＢ番号３に含まれている場合には、ステップＳ１１５の処理に移行し、当該属性情報がＤＢ番号３に含まれていない場合には、ステップＳ１１９の処理に移行する。
【００６５】
当該属性情報がＤＢ番号３に含まれている場合には、システム制御部１８は、パラメータ設定部７に記憶部６に記憶されている参照テーブルデータを参照して、ＤＢ番号３の設定情報をユーザ選択肢として設定し、当該設定情報に対応するソース（クリアダイアログ１、２）を、表示部１４に表示させる（ステップＳ１１５）。
【００６６】
次いで、システム制御部１８は、パラメータ設定部７に所定の時間内に当該ソースのいずれか一つがユーザにより選択されたか否かを判断させ（ステップＳ１１６）、ユーザによってソースが選択された場合には、システム制御部１８は、ステップＳ１１７の処理に移行し、所定時間経ってもユーザによってソースが選択されない場合には、ステップＳ１２２の処理に移行する。
【００６７】
このとき、当該所定時間内にユーザによってソースが選択された場合は、システム制御部１８は、ユーザによって選択された設定情報、すなわち、ソースをデフォルトに切り替える（ステップＳ１１７）。
【００６８】
そして、システム制御部１８は、パラメータ設定部７にユーザによって選択された設定情報を取得させるとともに、当該取得させた設定情報に基づいて音声処理部５における音声情報を信号処理するための各種のパラメータを設定させ、（ステップＳ１２２）、処理を終了する。
【００６９】
一方、所定時間経ってもユーザによってソースが選択されない場合には、システム制御部１８は、パラメータ設定部７にＤＢ番号３のデフォルトに設定されている設定（クリアダイアログ１）が音声処理部５によって音声情報を信号処理するためのパラメータの設定情報として設定され（ステップＳ１２２）、処理を終了する。
【００７０】
次いで、ステップＳ１１４の処理において、当該属性情報がＤＢ番号３に含まれていない場合には、システム制御部１８は、パラメータ設定部７に記憶部６に記憶されている参照テーブルデータを参照して、ＤＢ番号４の設定情報をユーザ選択肢として設定し、当該設定情報に対応するソース（ナチュラル１、２）を、表示部１４に表示させる（ステップＳ１１９）。
【００７１】
次いで、システム制御部１８は、パラメータ設定部７に所定の時間内に当該ソースのいずれか一つがユーザにより選択されたか否かを判断させ（ステップＳ１２０）、ユーザによってソースが選択された場合には、システム制御部１８は、ステップＳ１２１の処理に移行し、所定時間経ってもユーザによってソースが選択されない場合には、ステップＳ１２２の処理に移行する。
【００７２】
このとき、当該所定時間内にユーザによってソースが選択された場合は、システム制御部１８は、ユーザによって選択された設定情報、すなわち、ソースをデフォルトに切り替える（ステップＳ１２１）。
【００７３】
そして、システム制御部１８は、パラメータ設定部７にユーザによって選択された設定情報を取得させるとともに、当該取得させた設定情報に基づいて音声処理部５における音声情報を信号処理するための各種のパラメータを設定させ、（ステップＳ１２２）、処理を終了する。
【００７４】
一方、所定時間経ってもユーザによってソースが選択されない場合には、システム制御部１８は、パラメータ設定部７にＤＢ番号４のデフォルトに設定されている設定（ナチュラル１）が音声処理部５によって音声情報を信号処理するためのパラメータの設定情報として設定され（ステップＳ１２２）、処理を終了する。
【００７５】
以上のように、本実施形態の放送番組再生装置Ａは、放送波によって提供される放送番組の情報である放送番組情報とともに、当該放送番組の属性を示す属性情報を少なくとも有するメタデータを受信する放送受信部２と、前記受信されたメタデータから前記属性情報を抽出する情報抽出部４と、放送番組情報を各スピーカＳ、及びサブウーファーＳＷＳに出力する際の信号処理に用いるパラメータを設定するための設定情報が予め複数記憶される記憶部６と、前記抽出された属性情報に基づいて設定情報の中から最適な設定情報を取得するパラメータ設定部７と、当該取得された設定情報に基づいて前記受信された放送番組情報を信号処理する音声処理部５と、を具備する構成を有している。また、記憶部６には、音声または映像のいずれか一方の放送番組情報を信号処理する際の信号処理に用いるパラメータを設定するための設定情報が予め複数記憶される。また、情報抽出部４は、属性情報に基づいて、前記記憶部６を検索し、所定の条件に該当する設定情報を抽出する。
【００７６】
この構成により、本実施形態の放送番組再生装置Ａは、放送局Ｈから受信された放送波から放送番組情報（映像情報、音声情報）、メタデータを取得し、当該メタデータの属性に基づいて最適な設定情報を取得し、当該取得された設定情報に基づいて放送番組情報を出力する。
【００７７】
したがって、例えば、放送番組のジャンル（例えば、野球）によって、受信された音声情報にそのジャンルに適した音声処理を施して放送番組を再生することができる。また、例えば、放送番組のジャンル（例えば、映画）によって、映像情報をそのジャンルに適した映像処理を施して放送番組を再生することも可能である。
【００７８】
また、本実施形態の放送番組再生装置Ａは、情報抽出部４によって複数の設定情報が抽出される場合に、当該抽出された設定情報をユーザに提示するための表示部１４と、複数の設定情報の中から一の設定情報を選択するための操作部１０と、を更に具備し、音声処理部５は、前記放送番組情報に前記ユーザによって選択された一の設定情報に基づいて前記受信された放送番組情報を信号処理するように構成されている。
【００７９】
この構成により本実施形態の放送番組再生装置Ａは、ユーザに対して設定情報を提示し、当該ユーザによって選択された設定情報を取得することによって、当該取得した設定情報に基づいて放送番組情報を信号処理する。
【００８０】
したがって、例えば、放送番組のジャンル（例えば、野球）によって、受信された音声情報にユーザが好む音声処理を施して放送番組を再生することができる。また、例えば、放送番組のジャンル（例えば、映画）によって、受信された映像情報にユーザが好む映像処理を施して放送番組を再生することも可能である。
【００８１】
また、本実施形態の放送番組再生装置Ａは、ユーザによって選択された一の設定情報をメタデータによって示される属性情報とともに前記記憶部６に登録するためのシステム制御部１８を更に具備し、パラメータ設定部７は、情報抽出部４によって抽出される属性情報が記憶部６に登録されたメタデータによって示される属性情報と同一である場合には、登録された設定情報を取得するように構成されている。
【００８２】
この構成により本実施形態の放送番組再生装置Ａは、ユーザによって過去に選択された設定情報をメタデータによって示される属性情報とともに記憶部６に登録しておき、新たに番組付帯情報を取得した場合に、当該新たに取得したメタデータによって示される属性情報と登録されている属性情報とが同一である場合には、当該登録された設定情報を取得する。
【００８３】
したがって、例えば、ユーザが過去に野球（放送番組のジャンル）を閲覧する際に設定情報をスタジアム１として設定していた場合に、新たに受信した放送番組のジャンルが野球であったら、受信された音声情報に当該過去にユーザが設定した設定情報（スタジアム１）を取得し、当該設定情報で音声処理が施されて放送番組を再生する。よってユーザが過去に設定した設定情報を新たに受信する放送番組の設定情報として反映させることができる。
【００８４】
また、本実施形態の放送番組再生装置Ａは、属性情報が放送番組の進行状況に伴って変化する場合に、情報抽出部４は、放送番組の進行状況に伴って変化する各属性情報を抽出するとともに、パラメータ設定部７は、放送番組の進行状況に伴って変化する各属性情報に基づいて前記設定情報の中から最適な設定情報を取得し、前記音声処理部５は、当該取得された設定情報に基づいて前記受信された放送番組情報を信号処理するように構成されている。
【００８５】
この構成により、本実施形態の放送番組再生装置Ａは、放送局Ｈから受信された放送波から放送番組情報（映像情報、音声情報）、及び放送番組の進行状況に伴って変化する放送番組の各属性情報を取得し、当該放送番組の進行状況に伴って変化する当該各属性情報に基づいて最適な設定情報を取得し、当該取得された設定情報に基づいて放送番組情報を信号処理する。
【００８６】
したがって、例えば、ユーザが映画等を視聴する場合に、その映画の進行状況に伴って受信された音声信号に当該映画の場面に適した音声処理が施されて放送番組を再生することができる。
【００８７】
また、本実施形態では、音声処理の動作をパラメータ設定部７、音声処理部５によって実行するようになっているが、映像処理の動作をパラメータ設定部７、音声処理部５によって実行するようにしても構わない。
【００８８】
さらに、本実施形態では、記憶部６に記憶されている参照テーブルデータに基づいて設定情報を取得し、各種パラメータを音声処理部５に設定するようになっているが、記憶部６に過去にユーザが選択した履歴情報を予め記憶し、当該履歴情報を参照しつつ、設定情報を取得して各種パラメータを音声処理部５に設定するようにしてもよい。
【００８９】
この場合に、パラメータ設定部７は、ユーザの設定履歴を以下のような方法にて管理、保存し、当該パラメータ処理を行うようになっている。すなわち、パラメータ設定部７は、システム制御部１８を介して、過去にユーザによって選択された一のパラメータの設定情報を番組付帯情報によって示される属性情報に対応づけて、履歴テーブルデータとして記憶部６に登録するようになっており、情報抽出部４により抽出される番組情報の属性情報が当該履歴テーブルデータの属性情報と同一である場合に、当該履歴テーブルデータにおける属性情報に対応づけられた設定情報を記憶部６から読み出し、音声処理部５に当該パラメータを設定するようになっている。
【００９０】
なお、パラメータ設定処理において、記憶部６の参照テーブルデータについては、インターネットなどの手段を通じてテーブルデータ自体を更新（変更）してもよい。また、ユーザが個別にパラメータテーブルをカスタマイズするようにしてもよい。
【００９１】
また、放送番組の属性情報については、上記に示すように、放送番組の受信と同時に取得するだけでなく、インターネットなどの手段を通じてあらかじめ当該放送番組等の進行状況を示す情報を取得するようにしても構わない。さらに、ユーザが進行状況を示す情報を作成・カスタマイズするようにしてもよい。
【００９２】
また、本実施形態では、上述の放送番組再生装置によって、パラメータ設定処理を含む放送番組再生処理を行うようになっているが、放送番組再生装置にコンピュータを備え、コンピュータのシステム制御部のＲＡＭ等に上述のパラメータ設定処理を含む放送番組再生処理を実行するためのプログラムを格納し、このコンピュータで当該プログラムを読み込むことによって上述と同様のパラメータ設定処理を含む放送番組再生処理を行うようにしてもよい。
【図面の簡単な説明】
【００９３】
【図１】本願に係る放送番組再生装置の概要構成を示すブロック図である。
【図２】参照テーブルデータの一例を示す図である。
【図３】本実施形態におけるパラメータ設定処理の動作を示すフローチャートである。
【符号の説明】
【００９４】
Ａ  放送番組再生装置
Ｓ  スピーカ
ＳＷＳ  サブウーファー
２  放送受信部
３  音声情報取得部
４  情報抽出部
５  音声処理部
６  記憶部
７  パラメータ設定部
８  アンプ部
１０  操作部
１２  リモコン受光部
１４  表示部
１８  システム制御部
２０  バス
【図１】
2008042221.tif 000003
【図２】
2008042221.tif 000004
【図３】
2008042221.tif 000005